(57)【要約】【課題】記録されたデータストリームを再生中に現在再生位置をリセットすることなく、再生動作を中断してあらためてメニューから編集動作に入りなおすことなく連続動作的に消去編集操作が行え、さらに消去開始点または消去終了点を指定することなく消去編集する情報記録再生装置を提供する。【解決手段】記録媒体に記録されたデータストリームを編集機能を備えた情報記録再生装置であって、各種操作を行うための操作手段（１００１）と、前記データストリーム再生中に前記操作手段１００１による消去操作で前記データストリームの先頭から前記消去操作までを消去する制御手段（１１００）を備えた情報記録再生装置を提供する。【選択図】図１
2006164360.tif 000002
【特許請求の範囲】
【請求項１】
記録媒体に記録されたデータストリームの編集機能を有する情報記録再生装置であって、
編集に関連する操作を行うための操作手段と、
前記データストリーム再生中に前記操作手段を介して行われた消去操作に基づいて、前記データストリームの少なくとも一部を消去する消去手段と
を備えた情報記録再生装置。
【請求項２】
消去操作を実行するか、中止するかを確認するための表示を出力する確認手段であって、前記消去手段による消去の実行前に、前記表示を出力する確認手段をさらに備えた、請求項１に記載の情報記録再生装置。
【請求項３】
前記消去手段は、前記データストリームの先頭から前記消去操作時に再生されていたデータ位置までを消去する前消去操作、前記消去操作時に再生されていたデータ位置から前記データストリームの末尾まで消去する後消去操作、および、前記データストリームの先頭から末尾までを消去する全消去操作の少なくとも１つの操作を実行し、
前記確認手段が前記表示を出力している間に、前記消去手段はユーザから受けた指示に基づく消去操作を実行する、請求項１または２に記載の情報記録再生装置。
【請求項４】
前記確認手段が前記表示を出力している間に、前記消去手段がユーザから消去を中止する指示を受けたときは、前記消去手段は前記データストリームに対する消去操作を中止する、請求項３に記載の情報記録再生装置。
【発明の詳細な説明】
【技術分野】
【０００１】
本発明は、映像、音声等に関するマルチメディアデータにおける再生中に部分消去を行うデータ編集の技術に関する。
【背景技術】
【０００２】
音楽や映像の再生位置を変更するために、ＤＶＤ（Digital Versatile Disc）プレーヤー、ＤＶＤレコーダー等の家電機器およびそれらのリモートコントローラ（以下「リモコン）と称する）には、早送り、早戻しボタンが設けられている。家電機器が音楽や映像の編集機能を有する場合には、ユーザはリモコンでその編集を行うことができるものも多い。
【０００３】
特許文献１は、リモコンの特定ボタンを２回押下する動作を複数回繰り返して映像をスキップおよびコピーして編集する技術、リモコンの特定ボタンを押し続けることにより映像情報をスキップおよびコピーして編集する技術、リモコンの特定ボタンが一定時間以上押し続けられた場合に自動的に編集モードに移行する技術を開示している。
【０００４】
特許文献２は、開始点と終了点の２点の設定により開始点以前と終了点以降の部分を削除し編集する技術を開示している。
【特許文献１】特開２００３−３１９３１２号公報
【特許文献２】特開２００３−３３８１６８号公報
【発明の開示】
【発明が解決しようとする課題】
【０００５】
しかしながら、上述した技術では、人間の操作では先頭にリモコンに設けられた特定ボタンの１回目の押下でデータの先頭に設定することは不可能であり、どうしても若干のデータが最初に残るという問題があった。他方、厳密に先頭位置から目的の位置までを消去しようと思うと、必然的にメニューの階層をたどり編集メニューに入ってから編集作業を開始することになり煩雑であるという問題もあった。例えば図３は、編集メニューをたどってデータを削除するための手順を示す。
【０００６】
データストリームの先頭から削除編集作業が行われる典型的な例を挙げると、記録媒体の残量が少なくなっている状況で、最初から保存する必要はなく１度見てしまえば消去するデータストリームの視聴済みの部分、および将来にわたって保存するつもりであったが視聴中に保存する必要性を感じなくなったデータストリームの視聴済みの部分を順次消去して、記録可能残量を増やす局面が考えられる。この局面ではユーザが始めから意図して編集しようと当該データストリームを再生して見ているわけではないため、編集メニューに入って編集作業を行うしか手段がない場合には、後に煩雑な作業を強いられることになる。特にこのような作業を予約録画開始直前に行わなければならないとすると、誤操作を招き保存しておきたい大事な部分を消去してしまったり、録画時間までに編集作業を終了することができなかった場合、機器によっては予約録画が始められず頭切れになったり、また機器によっては編集作業が強制中断させられ予約録画が始まり容量不足で結果的に予約録画が途中で終了してしまうこともあり得る。上述の問題は、データストリームの先頭からの削除のみならず、余分に記録し過ぎて後ろの不要部分を消去したい場合にも同様に発生する。
【０００７】
本発明の目的は、記録されたデータストリームを再生中に現在再生位置をリセットすることなく、かつ、再生動作を中断してあらためてメニューから編集動作に入りなおすことなく、連続的に消去編集操作が行え、さらに消去開始点または消去終了点を指定することなく消去編集する情報記録再生装置を提供することである。
【課題を解決するための手段】
【０００８】
本発明による情報記録再生装置は、記録媒体に記録されたデータストリームの編集機能を有している。前記情報記録再生装置は、編集に関連する操作を行うための操作手段と、前記データストリーム再生中に前記操作手段を介して行われた消去操作に基づいて、前記データストリームの少なくとも一部を消去する消去手段とを備えている。
【０００９】
前記情報記録再生装置は、消去操作を実行するか、中止するかを確認するための表示を出力する確認手段であって、前記消去手段による消去の実行前に、前記表示を出力する確認手段をさらに備えていてもよい。
【００１０】
前記消去手段は、前記データストリームの先頭から前記消去操作時に再生されていたデータ位置までを消去する前消去操作、前記消去操作時に再生されていたデータ位置から前記データストリームの末尾まで消去する後消去操作、および、前記データストリームの先頭から末尾までを消去する全消去操作の少なくとも１つの操作を実行し、前記確認手段が前記表示を出力している間に、前記消去手段はユーザから受けた指示に基づく消去操作を実行してもよい。
【００１１】
前記確認手段が前記表示を出力している間に、前記消去手段がユーザから消去を中止する指示を受けたときは、前記消去手段は前記データストリームに対する消去操作を中止してもよい。
【発明の効果】
【００１２】
本発明によれば、記録されたデータストリームを再生中に現在再生位置をリセットすることなく、再生動作を中断してあらためてメニューから編集動作に入りなおすことなく連続動作的に消去編集操作が行え、さらに消去開始点または消去終了点を指定することなく消去編集することができる。
【００１３】
すなわち、たとえデータストリームの再生を開始する以前の時点で消去編集操作を行う意思がなくとも、再生途中にそれ以前またはそれ以降の不要部分が連続操作的に消去できるので、一旦再生を停止してメニューから編集操作へ入り、前部分を消去したい場合はまた最初から再生して消去開始点を設定し先程の編集点まで進めて消去終了点を設定し消去操作を行い、または後部分を消去したい場合はまた最初から再生して先程の編集点まで進めて消去開始点を設定しさらに終端まで進めて消去終了点を設定し消去操作を行うといった非常に面倒な操作を行わなくてもよい。開始点を設定するという操作が事前に行えないために、編集したくなった時には新たに編集のための設定操作をやり直さなければならないということがなくなり、通常再生使用中から消去編集したいと思ったところでそのまま消去編集操作を行うことができる。
【００１４】
特に、予約録画が始まりそうで記録媒体の残量が少なくなっていてすべて録画できるかどうか微妙な状況で、記録保存する必要のないデータストリームおよび記録保存するつもりであったが見ている内に記録保存する必要性を感じなくなったデータストリームにおいて、見てしまった部分は順次消去して極力残量を増やしたいという場合、余分に記録し過ぎて後ろの不要部分を消去したい場合には絶大な威力を発揮する。
【００１５】
さらに、確認画面をはさむことで消去という危険度の高い操作に対して誤操作を防止することができ、その確認画面の中で前部分消去、後部分消去、全消去、キャンセルが選択できるのであらゆるケースに対応することができる。
【発明を実施するための最良の形態】
【００１６】
以下、添付の図面を参照して、本発明による情報記録再生装置の実施形態を説明する。
【００１７】
情報記録再生装置は、視聴の対象となる映像、音声等に関するＭＰＥＧ２プログラムストリーム等の編集可能なデータストリームを記録する。情報記録再生装置の主要な特徴のひとつは、データストリームに基づく映像、音声等の再生中に行われた消去操作に応答して、データストリームの先頭から消去操作時点で再生中のデータ位置までを消去する、またはそのデータ位置からデータストリームの終端までを消去することである。
【００１８】
なおＭＰＥＧ２プログラムストリームは、２キロバイトの「パック」と呼ばれるデータ単位の集合であり、各パックには映像データや音声データが格納されている。例えば映像データに関して言えば、１以上のパックに格納された映像データを接続するとＭＰＥＧ２規格に従って圧縮符号化された表示ピクチャごとのデータが得られる。各ピクチャのデータを復号化することにより、表示することが可能な各ピクチャのデータが得られる。なお、ＭＰＥＧ２プログラムストリームおよびその各パックのデータ構造は周知であるため、これ以上の詳細な説明は省略する。
【００１９】
図１は、情報記録再生装置１００の機能ブロックの構成を示す。情報記録再生装置１００は、操作手段１００１と、入力手段１００２と、制御手段１１００と、消去確認画面表示手段１２０１と、再生手段１３０１と、分割手段１３０２と、消去手段１３０３と、バッファメモリー１３０４と、読出し手段１３０５と、書込み手段１３０６と、記録媒体１３０７とを備えている。
【００２０】
図１には記録媒体１３０７も記載されている。記録媒体１３０７は、例えばＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、ＣＤ−Ｒ、ＣＤ−ＲＷ等の光記録媒体（光ディスク）、ハードディスク等の磁気記録媒体、ＳＤカード等の半導体記録媒体等の任意の記録媒体である。記録媒体１３０７が内蔵ハードディスク等の固定メディアであれば情報記録再生装置１００の構成要素として取り扱われるが、光ディスク、外部ハードディスク等のリムーバブルメディアであれば記録媒体１３０７の構成要素として取り扱わなくてもよい。以下では記録媒体１３０７はリムーバブルメディアであるとする。
【００２１】
また、操作手段１００１は本体ボタンやリモコンであってもよい。
【００２２】
以下、図１および図２を参照しながら情報記録再生装置１００の構成および動作を説明する。図２は、本実施形態による情報記録再生装置１００の処理の手順を示している。ただしステップ２００２は、情報記録再生装置１００を使用するユーザの操作である。
【００２３】
操作手段１００１は、再生キーや消去キー等であり、再生キーが押されれば再生キーに対応したキーコードが出力され入力手段１００２に入力される。ここで入力手段１００２は、操作手段１００１が本体ボタンなら本体ボタンが押されたことを検出し、リモコンであればリモコンの受光部に相当し、ＣＰＵが検出することができるデータに変換される。入力手段１００２に入力された再生キーのコードは制御手段１１００へ渡され、再生開始であることを認識して再生手段１３０１に再生指示を出す。あらかじめ選択された再生データストリームに対し特定を行いそのデータの再生出力を行う。ＴＶモニターに接続されていればそこに再生画像および音声が視聴できる（図２のステップ２００１）。
【００２４】
消去操作を行う場合、ユーザが操作手段１００１により消去キーを入力する（図２のステップ２００２）。前記同様制御手段１１００は消去指示を認識し、再生手段１３０１に対して再生一時停止を通知して実行する（図２のステップ２００３）。次に消去確認画面表示手段１２０１で例えば「消去すると元に戻せません。本当に消去しますか？［前消去］［後消去］［全消去］［キャンセル］」等の確認画面を表示する（図２のステップ２００４）。
【００２５】
ステップ２１０１においてキャンセル（すなわち「消去しない」）を選択すると、制御手段１１００の制御にしたがい、消去確認画面表示手段１２０１により消去確認画面を消去し、再生手段１３０１により再生一時停止解除を行って再生を再開させ消去操作がリセットされる（図２のステップ２２０１）。
【００２６】
現在データストリーム再生しているデータストリームそのものを消去したい場合は、全消去を選択する。制御手段１１００の制御にしたがい、消去確認画面表示手段１２０１が「ただいま消去中です。」等のメッセージを表示し再生を停止した後（ステップ２３０１）、データストリームを消去する（ステップ２３０２）。消去後は消去確認画面表示手段１２０１により消去中メッセージ表示を消去し、再生手段１３０１により消去された次のデータストリームを再生するかまたはそのまま再生を停止しておけばよい。
【００２７】
データストリームの先頭からデータストリームの現在再生表示中のピクチャ位置までを消去したい場合（前消去したい場合）は、ユーザはステップ２１０１において、「前消去」を選択する。「前消去」は部分消去の１つの態様である。
【００２８】
「前消去」の選択に応答して、制御手段１１００の制御のもと、消去確認画面表示手段１２０１によりメッセージ表示が一旦消去され再生が停止される（ステップ２４０１）。次に、「ただいま前部分を消去中です。」等のメッセージを表示する。ステップ２４０２においては、分割手段１３０２が、再生一時停止時におけるデータ位置でデータストリームを分割し、消去手段１３０３は分割された前部分のデータストリームを消去する。再生一時停止時における「データ位置」とは、再生一時停止時に再生表示されていたピクチャデータの最後のビットが格納されているデータストリームのビット位置を表す。
【００２９】
なお、分割された前部分のデータストリームを消去する処理は、原則として分割された前部分のデータストリームの先頭データ（先頭のヘッダ）から再生一時停止時におけるデータ位置までのデータを削除することを想定している。しかし、これは必ずしも先頭のヘッダ以降のすべてのデータの削除を要求するものではない。先頭のピクチャから再生一時停止ポイントのピクチャまでが今後再生されないようにできればよいため、ヘッダを残してピクチャデータのみを削除してもよいし、実質的な再生が不可能であればピクチャデータの一部を削除するのみであってもよい。これは、以下に説明するデータストリームの消去処理についても同様である。
【００３０】
消去後は消去確認画面表示手段１２０１により消去中メッセージ表示を消去し、再生手段１３０１は消去された直後のデータ位置から（すなわち後部分の先頭から）データストリームを再生する（図２のステップ２４０３）。なお、明示的な指示があるまで、そのまま再生を停止していてもよい。
【００３１】
なお先の説明では前部分を消去するとしたが、後部分を消去してもよい。「後部分」とは、データストリームを再生していたデータ位置からデータストリームの末尾までを表す。後消去したい場合は、ステップ２１０１において「後消去」を選択すればよい。後消去を選択すると制御手段１１００の制御にしたがい、消去確認画面表示手段１２０１は「ただいま後部分を消去中です。」等のメッセージを表示する。分割手段１３０２により表示中のデータストリームの再生一時停止時のデータ位置で分割を行い、消去手段１３０３により分割された後部分のデータストリームを消去する。消去後は消去確認画面表示手段１２０１により消去中メッセージ表示を消去し、再生手段１３０１により消去されたデータの後に存在するデータストリームを再生し、またはそのまま再生停止とする。
【００３２】
なお、前消去および後消去において、分割位置である再生一時停止時に再生表示されていたピクチャデータを消去するデータに含めるか含めないかはどちらであってもよい。
【００３３】
再生手段１３０１は、制御手段１１００より特定されたデータストリームの通常再生・早送り・早戻し・スロー・コマ送り・コマ戻し・一時停止・停止等の指示に基づき再生動作を制御して各種再生および特殊再生を行う。すなわちデータの読み出しを制御して、バッファメモリ１３０４のデータを再生する。
【００３４】
制御手段１１００から特定データストリームの再生指示がくれば、読出し手段１３０５から記録媒体１３０７に応じたドライブ制御等の読出し制御を行い前記特定データストリームを読出す。記録媒体１３０７より読み出されたデータストリームは読出し手段１３０５によりバッファメモリー１３０４へ格納される。データストリームの最小論理単位が読出し完了する毎に読出し手段１３０５は再生手段１３０１に通知する。再生手段１３０１は前記通知を読出し手段１３０５より受けてバッファメモリー１３０４内の当該データストリームを読み出しながら再生出力を行う。
【００３５】
分割手段１３０２は、制御手段１１００より特定されたデータストリームの分割指示に基づき分割を行う。制御手段１１００から特定データストリームの分割指示がくれば、バッファメモリー１３０４における特定データストリームの再生手段１３０１が参照している位置をもとに、ＭＰＥＧ２等の当該データストリームのデータ規格に合うよう分割位置の前後を修正する等分割処理を行う。これは分割指示の受信時にピクチャが組み立てられている途中であれば、そのピクチャの直前のピクチャの最終データ位置またはそのピクチャの最終データ位置に分割位置を設定することを意味する。この結果、データストリームの特性上再生手段１３０１の指し示すビット位置が分割できない位置であっても、その前後の最適な位置で分割処理が行われる。バッファメモリー１３０４中のデータストリームの分割処理が終了すると、分割後のデータストリームおよび分割情報を記録媒体１３０７に保存する。書込み手段１３０６は、記録媒体１３０７に応じたドライブ制御等の書込み制御を行い、分割後のデータストリームおよび分割情報を記録媒体１３０７に書き込む。
【００３６】
消去手段１３０３は、制御手段１１００より特定されたデータストリームの消去指示に基づき消去を行う。制御手段１１００から特定データストリームの消去指示が発せられると、バッファメモリー１３０４における特定データストリームの消去処理を行い、分割後のデータストリームおよび分割情報を記録媒体１３０７に保存する。
【００３７】
上述の実施形態１は、主として各々に設けられたマイクロコンピュータ（図示せず）の制御に基づいて動作する。例えば実施形態１のマイクロコンピュータは、上述した制御手段１１００、分割手段１３０２、消去手段１３０３等の機能を実現することができる。マイクロコンピュータは、フローチャート等を参照して説明した処理を規定したコンピュータプログラムを実行することにより、当該処理に基づく制御を実現する。そのようなコンピュータプログラムは、フレキシブルディスク等の磁気記録媒体、フラッシュメモリ等の半導体記録媒体、および、光ディスク等の光記録媒体等の種々の記録媒体に記録可能であり、ネットワーク等の電気通信回線を介して伝送可能である。さらにそのようなコンピュータプログラムを記憶した１以上の半導体記録媒体により、個々に流通するチップセットを構成することもできる。
【産業上の利用可能性】
【００３８】
本発明の情報記録再生装置によれば、ユーザーの記録したデータストリームを視聴しながら任意に消去編集することができるので、ユーザーの利便性が向上する。本発明は、動画データ、音声データ等を再生しながら編集する場合等において有用である。
【図面の簡単な説明】
【００３９】
【図１】情報記録再生装置１００の機能ブロックの構成を示す図である。
【図２】本実施形態による情報記録再生装置１００の処理の手順を示すフローチャートである。
【図３】従来の編集処理の手順を示す図である。
【符号の説明】
【００４０】
１００    情報記録再生装置
１００１  操作手段
１００２  入力手段
１１００  制御手段
１２０１  消去確認画面表示手段
１３０１  再生手段
１３０２  分割手段
１３０３  消去手段
１３０４  バッファメモリー
１３０５  読出し手段
１３０６  書込み手段
１３０７  記録媒体
【図１】
2006164360.tif 000003
【図２】
2006164360.tif 000004
【図３】
2006164360.tif 000005